(57)【要約】      （修正有）【課題】タップの収納や電源プラグの接続及び電源プラグのコード収納が容易で効率良くおこなえるタップボックスを提供する。【解決手段】上面が開口した箱部２とそれを被う蓋部から成る構造とし、箱部２の側面或いは側面から底面にかけ、かつ上面までは達しないようにタップ５用コード６挿通口を設ける。好ましくは、箱部の凡そ短辺或いは短軸方向の側面或いは側面から底面にかけタップ５用コード挿通口を設け、その巾を側面においては電源プラグ７のコード８は挿通するが電源プラグ７は挿通しない巾狭に形成し、底面においては電源プラグ７が挿通する巾広に形成などする。【選択図】図８
0003154466.tif 000002
【実用新案登録請求の範囲】
【請求項１】
タップ及びタップに接続する電源プラグを収納し、タップのコードを外に出すためのタップ用コード挿通口と、該電源プラグのコードを外に出すための電源プラグ用コード挿通口を有する、箱部と蓋部から成る合成樹脂製のタップボックスであって、箱部は上面が開口の箱体であり、該タップ用コード挿通口が箱体の上面には達しないように側面に或いは同じく上面には達しないように側面から底面にかけ設けられていることを特徴とするタップボックス。
【請求項２】
箱部の凡そ短辺或いは短軸方向の側面或いは側面から底面にかけタップ用コード挿通口が設けられ、かつ該タップ用コード挿通口の巾は側面においては箱部の内部が極力見えないように電源プラグのコードは挿通するが電源プラグは挿通しない巾狭に形成され、底面においては電源プラグが挿通する巾広に形成されていることを特徴とする請求項１に記載のタップボックス。
【請求項３】
タップ用コード挿通口が、対面に２箇所設置されたことを特徴とする請求項２に記載のタップボックス。
【請求項４】
蓋部上面の少なくとも中央は、凡そ平坦に形成されて弾性体が設置され、タップに接続する電源プラグを端部に有する電子機器を置くことを特徴とする請求項１から請求項３のいずれかに記載のタップボックス。
【考案の詳細な説明】
【技術分野】
【０００１】
本考案は、テーブルタップとも呼ばれるタップを収納するタップボックスに関するものである。
【背景技術】
【０００２】
タップを箱の中に収納して、接続する電源プラグのコードが長く余分に余る分を該箱の中に収納するものが報告されている。タップ用コード挿通口が、上面が開口した箱体である箱部の上面から側面の下方まで設けられている。その為、側面が凡そ複数に分割されるために、合成樹脂製である箱部は成形時に側面が傾くなどの変形が大きく、製品形状や蓋部との嵌合で問題である。
【０００３】
ホコリによる不衛生とトラッキング火災に対処するために箱部と蓋部がヒンジで一体に形成されたタップボックスが報告されている。上下方向ではなく左右方向からボックスを閉める構造は、ボックスの底面が床面に安定して置かれないので作業の際に不安定であるとともに、タップに接続された複数の電源プラグの多方向に伸びるコードを押えつけながらボックスを閉めることになるので抵抗が生じコードが好ましく収納されなかったり大きな力を要する。
【０００４】
収納されたタップに水がかからないようにしたタップボックスが報告されている。前記同様に上面にタップ用コード挿通口が設けられているので変形が大きく、該タップ用コード挿通口の巾がタップの電源プラグが挿通する巾広に形成されているのでボックスの中が見えるので見苦しい。
【特許文献１】特開２００８−１２３９２０号公報
【特許文献２】特開２００３−１８７９００号公報
【特許文献３】特許第３５５１６５９号公報
【考案の開示】
【考案が解決しようとする課題】
【０００５】
タップの収納や電源プラグの接続及び電源プラグのコード収納が大きな力を要さず容易で効率良く、箱部の変形が無い。好ましくは、良好な収納性を有し、箱部のタップ用コード挿通口からタップボックスの内部が殆ど見えない。さらに好ましくは、（箱部のタップ用コードを接続する）電源コンセントがタップボックスの左右どちら側にあっても効率良くコードが配線できる。さらには、蓋部上面にタップに接続する電源プラグを端部に有する電子機器を置くことができ、煩雑な作業にも蓋部上面にスリキズなどが付かないのが好ましい。
【課題を解決するための手段】
【０００６】
本考案は、効率良い収納と作業性のために、上面が開口した箱部とそれを被う蓋部から成る構造とし、箱部が変形が無く良好に形成されるために、箱部の側面或いは側面から底面にかけ、かつ上面までは達しないようにタップ用コード挿通口を設ける。好ましくは、さらに良好な収納性を有するために、箱部の凡そ短辺或いは短軸方向の側面或いは側面から底面にかけタップ用コード挿通口を設けタップボックス内での特にＡＣアダプター等の大型電源プラグの収納性を向上させ、かつタップ用コード挿通口の巾を側面においては箱部の内部が極力見えないようにタップの電源プラグのコードは挿通するが電源プラグは挿通しない巾狭に形成し、底面においては電源プラグが挿通する巾広に形成する。さらに好ましくは、電源コンセントの位置に関係なく対処するために、タップ用コード挿通口は対面に２箇所設置する。さらに良好な作業性と収納整理を得るために蓋部上面の少なくとも中央を凡そ平坦に形成し弾性体を設置する。
【考案を実施するための最良の形態】
【０００７】
以下に本考案の実施例を図面に基づいて説明する。２点鎖線は正接エッジの参考線。図１は本考案の実施例１のタップボックスの正面図。以下同じく、図２は斜視参考図。図３は背面図。図４は右側面図。図５は底面図。図６は蓋部を除いた斜視参考図。図７は箱部に電源プラグを接続したタップを収納し蓋部を除いた斜視参考図。図８は箱部に電源プラグを接続したタップを収納し蓋部を除いた平面参考図。図９は蓋部に電子機器を置いた斜視参考図。図１０は本考案の実施例２のタップボックスで背面下方から見た斜視参考図である。
【０００８】
図１から９において説明すれば、箱部２と蓋部１は嵌合等により着脱自在に連結される。箱部２と蓋部１は射出成形で形成するのが効率が良く好ましい。タップボックスの形状は楕円であるが限定するものではなく、長方形等でも良く制限はない。但し、タップ５の形状が略矩形なので、収納性を考慮すれば細長い形状が妥当である。また、箱部２と蓋部１の側面高さはほぼ同じであるがこれも限定するものではなく、箱部２の側面高さが著しく大きくても良い。逆に箱部２の側面高さが著しく低いのはタップ５や電源プラグ７及び電源プラグ用コード８の収納性が悪いこと、及び蓋部１を閉める際に電源プラグ用コード８が蓋部１からはみ出し閉め難いなど効率的で良好な作業が得られないので良くない。箱部２の側面高さは少なくともタップ５が収納され、電源プラグ用コード８が凡そ箱部２の横幅からはみ出さない程度の高さを確保すれば良い。タップ用コード挿通口３を側面から底面にかけて設ける。側面は内部が容易に見えないようにタップ用コード６が挿通できるだけの巾狭にする。具体的には１２ｍｍ前後が妥当である。底面部においてはタップ用コード６の電源プラグが挿通できる巾広にする。具体的には３０ｍｍ前後が妥当である。電源プラグ用コード挿通口４はタップボックスの背面の箱部２と蓋部１の合わせ面に電源プラグ用コード８が挿通するだけの高さの電源プラグ用コード挿通口４を設ける。電源プラグ用コード挿通口４は箱部２の上面周縁部から僅かに凹むだけなので箱部２は変形することはない。また、電源プラグ用コード挿通口４の位置はこの位置に限定するものではなく、蓋部１の上方に設けるのもできるし、タップ用コード挿通口３を利用するのも良い。蓋部１の上面は物品が置けるように凡そフラットに形成し傷がつかないように、合成ゴムなどの弾性体１０を設け、電子機器９を置けるようにする。蓋部１の上方部にタップボックス内部の熱を放出する子穴を設けることは好ましい。
【０００９】
図１０において説明すれば、タップ用コード挿通口３は箱部２の側面下方から底面にかけて設けられている。その側面部における巾は、電源プラグが挿通できる巾広であるが高さがないので箱部２の内部が見え難いので悪くない。
【図面の簡単な説明】
【００１０】
【図１】本考案の実施例１のタップボックスの正面図。
【図２】斜視参考図。
【図３】背面図。
【図４】右側面図。
【図５】底面図。
【図６】蓋部を除いた斜視参考図。
【図７】タップ等を収納し蓋部を除いた斜視参考図。
【図８】タップ等を収納し蓋部を除いた平面参考図。
【図９】蓋部に電子機器を置いた斜視参考図。
【図１０】本考案の実施例２のタップボックスで背面下方から見た斜視参考図。
【符号の説明】
【００１１】
１    蓋部
２    箱部
３    タップ用コード挿通口
４    電源プラグ用コード挿通口
５    タップ
６    タップ用コード
７    電源プラグ
８    電源プラグ用コード
９    電子機器
１０  弾性体
【図１】
0003154466.tif 000003
【図２】
0003154466.tif 000004
【図３】
0003154466.tif 000005
【図４】
0003154466.tif 000006
【図５】
0003154466.tif 000007
【図６】
0003154466.tif 000008
【図７】
0003154466.tif 000009
【図８】
0003154466.tif 000010
【図９】
0003154466.tif 000011
【図１０】
0003154466.tif 000012
【手続補正書】
【提出日】平成21年7月31日(2009.7.31)
【手続補正１】
【補正対象書類名】実用新案登録請求の範囲
【補正対象項目名】請求項２
【補正方法】変更
【補正の内容】
【請求項２】
箱部の短辺或いは短軸方向の側面或いは側面から底面にかけタップ用コード挿通口が設けられ、かつ該タップ用コード挿通口の巾は側面においては箱部の内部が極力見えないように電源プラグのコードは挿通するが電源プラグは挿通しない巾狭に形成され、底面においては電源プラグが挿通する巾広に形成されていることを特徴とする請求項１に記載のタップボックス。
【手続補正２】
【補正対象書類名】明細書
【補正対象項目名】０００６
【補正方法】変更
【補正の内容】
【０００６】
本考案は、効率良い収納と作業性のために、上面が開口した箱部とそれを被う蓋部から成る構造とし、箱部が変形が無く良好に形成されるために、箱部の側面或いは側面から底面にかけ、かつ上面までは達しないようにタップ用コード挿通口を設ける。好ましくは、さらに良好な収納性を有するために、箱部の短辺或いは短軸方向の側面或いは側面から底面にかけタップ用コード挿通口を設けタップボックス内での特にＡＣアダプター等の大型電源プラグの収納性を向上させ、かつタップ用コード挿通口の巾を側面においては箱部の内部が極力見えないようにタップの電源プラグのコードは挿通するが電源プラグは挿通しない巾狭に形成し、底面においては電源プラグが挿通する巾広に形成する。さらに好ましくは、電源コンセントの位置に関係なく対処するために、タップ用コード挿通口は対面に２箇所設置する。さらに良好な作業性と収納整理を得るために蓋部上面の少なくとも中央を凡そ平坦に形成し弾性体を設置する。
【手続補正書】
【提出日】平成21年9月8日(2009.9.8)
【手続補正２】
【補正対象書類名】手続補正書
【補正対象項目名】手続補正３
【補正方法】削除
【補正の内容】